(57)【要約】【課題】血液浄化治療中に記憶されて蓄積された過去情報を有効活用することができるとともに、非定常的に発生する特定事項に対する対応を素早く且つ適切に行わせることができる血液浄化システムを提供する。【解決手段】記憶手段３ａに記憶された過去情報には、血液浄化治療中において非定常的に発生した特定事項が含まれるとともに、記憶手段３ａに蓄積された過去情報を検索し、所望の特定事項を抽出可能な抽出手段５と、抽出手段５で抽出された特定事項が所定回数以上発生した時間を多発時間として算出し得る算出手段５と、算出手段５で算出された多発時間を現在の血液浄化治療中に表示手段４ａにて表示させ得る表示制御手段７とを具備した血液浄化システムである。【選択図】図１
2019000311.tif 000002
【特許請求の範囲】
【請求項１】
患者に対して血液浄化治療を施すことができる血液浄化装置と、
前記血液浄化装置との間で通信して血液浄化治療に関する情報を送受信可能とされるとともに、当該血液浄化治療に関する情報を治療経過に沿って時系列的に記憶して治療毎の過去情報として蓄積可能な記憶手段を具備した管理装置と、
前記血液浄化装置又は管理装置に配設されるとともに、血液浄化治療に関する情報を表示可能な表示手段と、
を具備した血液浄化システムであって、
前記過去情報には、血液浄化治療中において非定常的に発生した特定事項が含まれるとともに、
前記記憶手段に蓄積された前記過去情報を検索し、所望の前記特定事項を抽出可能な抽出手段と、
前記抽出手段で抽出された前記特定事項が所定回数以上発生した時間を多発時間として算出し得る算出手段と、
前記算出手段で算出された多発時間を現在の血液浄化治療中に前記表示手段にて表示させ得る表示制御手段と、
を具備したことを特徴とする血液浄化システム。
【請求項２】
前記特定事項は、血液浄化治療中における患者の行為に関する非定常的な事項若しくは患者の状態に関する非定常的な事項、血液浄化治療中に発生した装置に関する非定常的な事項を含むことを特徴とする請求項１記載の血液浄化システム。
【請求項３】
前記表示制御手段は、現在の血液浄化治療に関する情報を時間経過に伴ってグラフとして表示させ得るとともに、前記算出手段で算出された多発時間を当該グラフの時間軸に対応させて表示させ得ることを特徴とする請求項１又は請求項２記載の血液浄化システム。
【請求項４】
前記表示制御手段は、前記算出手段で算出された多発時間を前記時間軸に対応させた帯状のグラフとして表示させ得ることを特徴とする請求項３記載の血液浄化システム。
【請求項５】
複数の前記特定事項のうち任意の前記特定事項を選択して入力可能な入力手段を具備するとともに、前記算出手段は、当該入力手段で入力された特定事項に関する多発時間を算出することを特徴とする請求項１〜４の何れか１つに記載の血液浄化システム。
【請求項６】
前記入力手段で複数の特定事項が入力された場合、前記表示制御手段は、前記特定事項の種類を識別可能な状態で前記多発時間を表示させ得ることを特徴とする請求項５記載の血液浄化システム。
【請求項７】
前記表示制御手段は、前記特定事項が発生した頻度を識別可能な状態で前記多発時間を表示させ得ることを特徴とする請求項１〜６の何れか１つに記載の血液浄化システム。
【発明の詳細な説明】
【技術分野】
【０００１】
本発明は、患者に対して血液浄化治療を施すことができる血液浄化装置と、血液浄化装置との間で通信して血液浄化治療に関する情報を送受信可能とされた管理装置とを具備した血液浄化システムに関するものである。
【背景技術】
【０００２】
透析治療などで用いられる血液浄化装置としての透析装置は、病院等の医療施設内に設けられた透析室に複数設置され、当該透析室内で多数の患者に対する透析治療（血液浄化治療）が施されるようになっている。また、それぞれの透析装置は、例えば特許文献１にて開示されているように、サーバを有した中央監視装置（管理装置）と接続され、当該サーバが保持した患者に関する種々情報を受信し得るよう構成されている。また、近時においては、中央監視装置のサーバにおいて、透析治療に関する情報（例えば、患者に関する過去の治療データ等）を保持させるとともに、必要に応じて任意の情報を表示手段に表示させて医師等の医療従事者に把握させ得るようになっていた。
【先行技術文献】
【特許文献】
【０００３】
【特許文献１】特開２０１４−４１９４号公報
【発明の概要】
【発明が解決しようとする課題】
【０００４】
しかしながら、従来の血液浄化システムにおいては、サーバで蓄積された情報を表示させて医療従事者等に把握させることができるものの、その情報に基づいて治療中に的確且つ素早い対応を行うためには熟練が必要とされるという問題があった。例えば、治療中において非定常的に発生した特定事項があった場合、その特定事項をサーバに記憶して次回以降の治療時に単に表示させたとしても、特定事項がどの程度の頻度で発生するのか、或いはどのタイミングで発生することが多いのかを把握することができず、実際に特定事項が発生した場合、素早く且つ適切に対応するのが困難になってしまう虞があった。
【０００５】
本発明は、このような事情に鑑みてなされたもので、血液浄化治療中に記憶されて蓄積された過去情報を有効活用することができるとともに、非定常的に発生する特定事項に対する対応を素早く且つ適切に行わせることができる血液浄化システムを提供することにある。
【課題を解決するための手段】
【０００６】
請求項１記載の発明は、患者に対して血液浄化治療を施すことができる血液浄化装置と、前記血液浄化装置との間で通信して血液浄化治療に関する情報を送受信可能とされるとともに、当該血液浄化治療に関する情報を治療経過に沿って時系列的に記憶して治療毎の過去情報として蓄積可能な記憶手段を具備した管理装置と、前記血液浄化装置又は管理装置に配設されるとともに、血液浄化治療に関する情報を表示可能な表示手段とを具備した血液浄化システムであって、前記過去情報には、血液浄化治療中において非定常的に発生した特定事項が含まれるとともに、前記記憶手段に蓄積された前記過去情報を検索し、所望の前記特定事項を抽出可能な抽出手段と、前記抽出手段で抽出された前記特定事項が所定回数以上発生した時間を多発時間として算出し得る算出手段と、前記算出手段で算出された多発時間を現在の血液浄化治療中に前記表示手段にて表示させ得る表示制御手段とを具備したことを特徴とする。
【０００７】
請求項２記載の発明は、請求項１記載の血液浄化システムにおいて、前記特定事項は、血液浄化治療中における患者の行為に関する非定常的な事項若しくは患者の状態に関する非定常的な事項、血液浄化治療中に発生した装置に関する非定常的な事項を含むことを特徴とする。
【０００８】
請求項３記載の発明は、請求項１又は請求項２記載の血液浄化システムにおいて、前記表示制御手段は、現在の血液浄化治療に関する情報を時間経過に伴ってグラフとして表示させ得るとともに、前記算出手段で算出された多発時間を当該グラフの時間軸に対応させて表示させ得ることを特徴とする。
【０００９】
請求項４記載の発明は、請求項３記載の血液浄化システムにおいて、前記表示制御手段は、前記算出手段で算出された多発時間を前記時間軸に対応させた帯状のグラフとして表示させ得ることを特徴とする。
【００１０】
請求項５記載の発明は、請求項１〜４の何れか１つに記載の血液浄化システムにおいて、複数の前記特定事項のうち任意の前記特定事項を選択して入力可能な入力手段を具備するとともに、前記算出手段は、当該入力手段で入力された特定事項に関する多発時間を算出することを特徴とする。
【００１１】
請求項６記載の発明は、請求項５記載の血液浄化システムにおいて、前記入力手段で複数の特定事項が入力された場合、前記表示制御手段は、前記特定事項の種類を識別可能な状態で前記多発時間を表示させ得ることを特徴とする。
【００１２】
請求項７記載の発明は、請求項１〜６の何れか１つに記載の血液浄化システムにおいて、前記表示制御手段は、前記特定事項が発生した頻度を識別可能な状態で前記多発時間を表示させ得ることを特徴とする。
【発明の効果】
【００１３】
請求項１の発明によれば、記憶手段に蓄積された過去情報を検索し、所望の特定事項を抽出可能な抽出手段と、抽出手段で抽出された特定事項が所定回数以上発生した時間を多発時間として算出し得る算出手段と、算出手段で算出された多発時間を現在の血液浄化治療中に表示手段にて表示させ得る表示制御手段とを具備したので、医療従事者に対して特定事項の多発時間を予め把握させることができ、血液浄化治療中に記憶されて蓄積された過去情報を有効活用することができるとともに、非定常的に発生する特定事項に対する対応を素早く且つ適切に行わせることができる。
【００１４】
請求項２の発明によれば、特定事項は、血液浄化治療中における患者の行為に関する非定常的な事項若しくは患者の状態に関する非定常的な事項、血液浄化治療中に発生した装置に関する非定常的な事項を含むので、医療従事者に対して種々の特定事項の多発時間を予め把握させることができる。
【００１５】
請求項３の発明によれば、表示制御手段は、現在の血液浄化治療に関する情報を時間経過に伴ってグラフとして表示させ得るとともに、算出手段で算出された多発時間を当該グラフの時間軸に対応させて表示させ得るので、現在の血液浄化治療に関する情報と多発時間との比較を視覚的に行わせることができる。
【００１６】
請求項４の発明によれば、表示制御手段は、算出手段で算出された多発時間を時間軸に対応させた帯状のグラフとして表示させ得るので、現在の血液浄化治療に関する情報と多発時間との比較をより円滑且つ視覚的に行わせることができる。
【００１７】
請求項５の発明によれば、複数の特定事項のうち任意の特定事項を選択して入力可能な入力手段を具備するとともに、算出手段は、当該入力手段で入力された特定事項に関する多発時間を算出するので、必要とされる特定事項の多発時間を任意選択的に表示させることができる。
【００１８】
請求項６の発明によれば、入力手段で複数の特定事項が入力された場合、表示制御手段は、特定事項の種類を識別可能な状態で多発時間を表示させ得るので、必要とされる複数の特定事項の多発時間を併せて表示させることができる。
【００１９】
請求項７の発明によれば、表示制御手段は、特定事項が発生した頻度を識別可能な状態で多発時間を表示させ得るので、発生頻度に応じた特定事項に対する対応を行わせることができる。
【図面の簡単な説明】
【００２０】
【図１】本発明の第１の実施形態に係る血液浄化システムを示すブロック図
【図２】同血液浄化システムにおける血液浄化装置を示す外観図
【図３】同血液浄化システムにおける血液浄化装置の内部構成及び血液回路を示す模式図
【図４】同血液浄化システムにおける抽出手段による抽出及び算出手段による算出を説明するための表
【図５】同血液浄化システムにおける抽出手段による抽出及び算出手段による算出を説明するための表
【図６】同血液浄化システムにおける抽出手段による抽出及び算出手段による算出を説明するための表
【図７】同血液浄化システムにおける表示制御手段により表示された表示内容を示すグラフ
【図８】同血液浄化システムにおける表示制御手段による他の表示内容を示す図
【図９】本発明の第２の実施形態に係る血液浄化システムを示すブロック図
【発明を実施するための形態】
【００２１】
以下、本発明の実施形態について図面を参照しながら具体的に説明する。
第１の実施形態に係る血液浄化システムは、患者に対して血液浄化治療としての透析治療を施し得るもので、図１に示すように、血液浄化装置１と、管理装置２とを具備して構成されている。また、血液浄化装置１及び管理装置２は、ＬＡＮケーブルＬを介して電気的に接続されており、当該血液浄化装置１と管理装置２との間で通信して血液浄化治療に関する情報を送受信可能とされている。
【００２２】
血液浄化装置１は、図３に示すように、透析液を導入するための透析液導入ラインＬ１及び透析液排液を排出する透析液排出ラインＬ２が延設されており、これら透析液導入ラインＬ１及び透析液排出ラインＬ２に跨って複式ポンプ１２が配設されている。また、透析液導入ラインＬ１及び透析液排出ラインＬ２には、ダイアライザ１１（血液浄化器）が接続されており、当該ダイアライザ１１には、患者の血液を体外循環させるための血液回路９が接続されるようになっている。そして、血液ポンプ１０を駆動させることにより、血液回路９にて体外循環する患者の血液に対して、ダイアライザ１１にて血液浄化治療が可能とされている。
【００２３】
複式ポンプ１２のポンプ室は、図示しない単一のプランジャにより、透析液導入ラインＬ１に接続された送液側ポンプ室と、透析液排出ラインＬ２に接続された排出側ポンプ室とに隔成されており、当該プランジャが往復動することにより、送液側ポンプ室に送られた透析液又は洗浄液をダイアライザ１１に供給するとともに、ダイアライザ１１内の透析液を排出側ポンプ室に吸入するよう構成されている。
【００２４】
さらに、透析液排出ラインＬ２には、複式ポンプ１２をバイパスして接続されたバイパスラインＬ３が形成されており、このバイパスラインＬ３の途中に除水ポンプ１３が配設されている。かかる除水ポンプ１３を駆動させることにより、ダイアライザ１１内を流れる患者の血液に対して除水を行わせることが可能とされる。なお、複式ポンプ１２に代えて、所謂チャンバ形式のものとしてもよい。
【００２５】
また、血液浄化装置１は、表示手段１ａを具備するとともに、血液浄化治療（血液透析治療）に関わる種々治療手段（例えば、血液ポンプ、補液ポンプ及びシリンジポンプ等）が配設されている。このような治療手段として、ポンプ等のアクチュエータ類に限らず、電磁弁等のクランプ手段や液圧等の監視手段といった血液浄化治療に使用される種々汎用手段も含まれる。
【００２６】
表示手段１ａは、血液浄化治療（血液透析治療）に関する所定の情報の表示及び所定の入力を行わせ得るものであり、本実施形態においては、画面の所望位置を触れることにより所定の入力が可能なタッチパネルから成るものである。かかる表示手段１ａで表示される血液浄化治療に関する情報として、血液ポンプ１０、除水ポンプ１３或いは補液ポンプ等の流量を示す設定値、静脈圧センサにて検出される静脈圧、ヘマトクリットセンサ等から検出されるヘマトクリット値等が挙げられる。
【００２７】
さらに、血液浄化装置１には、任意の出力（音声又は効果音等の出力）が可能なスピーカが配設されている。このスピーカにより、血液浄化治療を行う機器又は患者における異常状態を周囲に知らせるための警報や警告を発することができるとともに、血液浄化装置の取扱方法や種々の設定方法を操作者に対して音声等で案内することができる。なお、血液浄化装置１には、外部表示灯１４（図２参照）が配設されており、当該外部表示灯１４を点灯又は点滅させることにより、より確実に警報等を周囲に把握させることができる。
【００２８】
管理装置２は、サーバ３及びクライアントＰＣ４を有して構成されている。サーバ３は、血液浄化装置１とＬＡＮケーブルＬを介して通信するための通信モジュール３ｂと、データを蓄積し得るデータベースから成る記憶手段３ａと、クライアントＰＣ４のクライアントアプリケーション４ｂを作動させるＷｅｂアプリケーションモジュール３ｃとを有するとともに、抽出手段５及び算出手段６を有して構成されている。なお、クライアントＰＣ４は、血液浄化装置１が設置された治療室に配設されるとともに、サーバ３は、治療室とは別の部屋（コンピュータルーム等）に配設されている。
【００２９】
記憶手段３ａは、通信モジュール３ｂを介して各血液浄化装置１と送受信可能とされたもので、血液浄化治療に関する情報を治療経過に沿って時系列的に記憶して治療毎の過去情報として蓄積可能とされている。例えば、管理装置２から各血液浄化装置１に送信される情報（現在の治療に際して必要とされる情報）として、血液浄化装置１の設定情報、後述する非定常的に発生した特定事項を選択可能とするマスタ情報、治療する患者の個人情報（ドライウェイト（ＤＷ）、投薬指示情報、検査値など）などが挙げられる。
【００３０】
各血液浄化装置１から管理装置２に送信される情報（過去情報）として、血液浄化装置１のモニタ情報（監視情報）、血液浄化装置１で発生した警報や報知、その警報や報知に対して行われた操作履歴を含む動作記録、血液浄化装置１の自己診断情報、血液浄化装置１に付属した血圧計にて測定された患者の血圧や脈拍値情報、血液浄化装置１に対して操作者により入力された患者の体温値情報、医療従事者によりマスタ情報から選択された識別コードなどが挙げられる。
【００３１】
ここで、過去情報には、血液浄化治療中において非定常的（突発的）に発生した特定事項が含まれる。かかる特定事項は、例えば血液浄化治療中における患者の行為に関する非定常的な事項（食事の摂取、トイレへの患者の離脱、体位の変化などのイベントや抜針発生などの突発事項など）若しくは患者の状態に関する非定常的な事項（血圧低下、気分不快や痒み等の愁訴など）、血液浄化治療中に発生した装置に関する非定常的な事項（血液浄化装置１の警報や報知に対する処置行為など）を含むものである。
【００３２】
また、記憶手段３ａは、１治療毎に種々の情報を紐付けして過去情報として蓄積し得るよう構成されている。かかる紐付けされる情報として、非定常的に発生した特定事項の他、治療した患者の氏名、治療した場所及び使用した血液浄化装置、治療中に血液浄化装置１と送受信した情報、治療前後の患者の体重及び除水量や除水速度といった実績値、治療条件、治療中に投与した薬剤の記録、治療に使用した医療材料の記録、看護記録などが挙げられる。
【００３３】
さらに、血液浄化治療中に入力される特定事項は、血液浄化装置１の表示手段１ａ（タッチパネル）又はクライアントアプリケーション４ｂの入力手段８により種類（例えば、治療中のイベント、患者の愁訴又は処置など）が選択されて入力可能とされている。本実施形態においては、特定事項の種類毎に識別コードが付与されてマスタ化されており、医療従事者が所定の特定事項を入力する場合、その特定事項に対応する識別コードを入力して選択した後、実際の特定事項を入力し得るようになっている。しかして、記憶手段３ａは、識別コードにて特定事項を記憶し得るよう構成されている。
【００３４】
なお、血液浄化治療中において血液浄化装置１で発生した警報や報知、その警報や報知に対して行われた操作履歴を含む動作記録についても、その種類毎に識別コードが付与されてマスタ化されており、医療従事者が所定の特定事項を入力する場合、その特定事項に対応する識別コードを入力して選択した後、実際の特定事項を入力し得るようになっている。
【００３５】
しかして、記憶手段３ａは、図４〜６に示すように、血液浄化治療に関する情報を治療経過に沿って時系列的（例えば、患者が透析室に入室してから治療終了後に退出するまで経時的）に記憶して治療毎（透析日毎）の過去情報として蓄積するとともに、その過去情報の時系列に対応させて特定事項が発生した時刻を特定事項の種類毎に記憶し得るようになっている。これにより、過去の特定の治療において、治療開始から何分経過後に如何なる特定事項が発生したのか記憶することができる。
【００３６】
抽出手段５は、記憶手段３ａに蓄積された過去情報を検索し、所望の特定事項を抽出可能なものである。本実施形態に係る抽出手段５は、医療従事者により把握が必要とされた所望の特定事項が選択（複数種類の選択も可能）されて表示手段１ａ又は入力手段８にて入力（具体的には、所望の特定事項に対応する識別コードが入力）されると、記憶手段３ａにて記憶及び蓄積された過去情報を検索し、選択された特定事項を抽出し得るよう構成されている。なお、医療従事者により選択される特定事項は、１つに限らず、複数の種類の特定事項を選択して入力することができる。また、患者毎に注意すべき特定事項の種類が異なるため、患者毎に抽出手段５による抽出を行い得るよう構成してもよい。
【００３７】
さらに、本実施形態においては、血液浄化治療が行われる患者の過去情報に限った範囲内で抽出手段５による特定事項の抽出が行われているが、他の患者の過去情報も含んで抽出手段５による特定事項の抽出を行わせるようにしてもよい。この場合、他の患者として、類似症例の患者、性別が同一或いは年齢が同一又は近い患者、原疾患が同一或いは類似の患者、ＤＷ（ドライウェイト）或いは検査値が同一又は近い患者を複合条件として判断することができる。なお、上記に加え、抽出手段５による抽出に際し、医療従事者が任意に他の患者を含む或いは除外し得るようにしてもよく、特定事項毎に抽出対象として追加する対象患者を選択し得るようにしてもよい。
【００３８】
このように抽出された特定事項は、図４〜６に示すように、過去の治療の時系列情報に対応した状態で抽出され、過去の治療（透析日）において如何なるタイミングで発生したか把握可能とされている。同図において、縦方向に透析日順に表示され、横方向に治療時間（時系列）が表示されており、その時間に対応させて特定事項を示すようにプロット（丸印）が付してある。なお、同図においては、１つの特定事項を抽出した場合を示しているが、複数の特定事項を抽出した場合、その種類毎の特定事項が過去の治療の時系列情報に対応した状態で抽出されることとなる。
【００３９】
算出手段６は、抽出手段５で抽出された特定事項が所定回数以上発生した時間を多発時間として算出し得るものである。例えば、図４に示すように、算出対象とする期間Ｍを設定するとともに、その期間Ｍ内において抽出された特定事項のうち特定事項Ｐ１を基準として前後の時間を含む時間を走査時間Ｔとし、その走査時間Ｔ内に抽出された特定事項が閾値としての所定回数以上あるか否かを判定する。閾値は、任意に設定することができ、例えば３回を閾値とすれば、同図に示すように、走査時間Ｔ内に特定事項が２回（特定事項Ｐ１、Ｐ２の２回）ある場合、特定事項が多発していると判定されない。算定対象とする期間Ｍは、医療従事者等によって任意に設定でき、無期限とすることもできる。
【００４０】
一方、図５に示すように、抽出された特定事項のうち特定事項Ｐ３を基準として前後の時間を含む時間を走査時間Ｔとし、その走査時間Ｔ内に抽出された特定事項が４回（特定事項Ｐ３〜Ｐ６の４回）ある場合、特定事項が多発していると判定される。この場合、図６に示すように、治療の時系列において最も早く発生した特定事項Ｐ３の時刻ｔａを基準として余裕時間ｔ１だけ前の時刻と、治療時の時系列において最も遅く発生した特定事項Ｐ６の時刻ｔｂを基準として余裕時間ｔ２だけ後の時刻との間の時間を多発時間Ｒとして算出する。
【００４１】
クライアントＰＣ４は、パーソナルコンピュータから成るもので、血液浄化治療に関する情報を表示可能な液晶画面やタッチパネルから成る表示手段４ａと、クライアントアプリケーション４ｂとを有して構成されている。クライアントアプリケーション４ｂは、サーバ３のＷｅｂアプリケーションモジュール３ｃに接続されて血液浄化治療に関する情報を入出力可能とされたもので、表示制御手段７と、入力手段８とを有して構成されている。
【００４２】
入力手段８は、複数の特定事項（例えば、血液浄化治療中における患者の行為に関する非定常的な事項若しくは患者の状態に関する非定常的な事項、血液浄化治療中に発生した装置に関する非定常的な事項等、複数の種類の特定事項）のうち任意の特定事項を選択して入力可能なもので、本実施形態においては、かかる入力手段８にて入力された特定事項に関する多発時間を算出手段６にて算出して表示制御手段７にて表示させ得るようになっている。なお、入力手段８に代えて、血液浄化装置１の表示手段１ａ（タッチパネル等）にて入力してもよい。
【００４３】
表示制御手段７は、抽出手段５で抽出された過去情報に基づく種々情報を表示手段４ａにて表示させ得るもので、本実施形態においては、算出手段６で算出された多発時間を現在の血液浄化治療中に表示手段４ａにて表示させ得るものである。具体的には、本実施形態に係る表示制御手段７は、図７に示すように、現在の血液浄化治療に関する情報を時間経過に伴ってグラフ（同図において、横軸を時間軸とするとともに、上段にΔＢＶ、中段にＰＲＲ及び除水速度、下段にＵＲＲ及びＫｔ／Ｖをそれぞれ示す折れ線グラフ）として表示させ得るとともに、算出手段６で算出された多発時間Ｒを当該グラフの時間軸に対応させて表示させ得るようになっている。
【００４４】
特に、本実施形態に係る表示制御手段７は、同図に示すように、算出手段６で算出された多発時間Ｒを時間軸（現在の血液浄化治療に対する時間軸）に対応させた帯状のグラフとして表示させ得るようになっている。このように帯状のグラフにて多発時間Ｒを表示することにより、多発時間Ｒの開始時刻と終了時刻とを同時且つ視覚的に把握させることができるとともに、現時点Ｗから多発時間Ｒに達するまでどの程度時間があるか視覚的に把握させることができる。
【００４５】
さらに、上記実施形態に係る表示制御手段７は、現在の血液浄化治療に関する情報を時間経過に伴ってグラフとして表示させ得るとともに、算出手段６で算出された多発時間Ｒを当該グラフの時間軸に対応させた帯状のグラフとして表示させているが、これに代えて、図８に示すように、算出手段６で算出された多発時間（Ｒ１、Ｒ２）を現在の血液浄化治療中に表示手段４ａに数字で表示させ得るものとしてもよい。この場合、多発時間（Ｒ１、Ｒ２）は、「血圧低下」を特定事項とした多発時間及び「静脈圧に関する警報」を特定事項とした多発時間とされているが、他の特定事項を他の形態にて表示するようにしてもよい。
【００４６】
また、入力手段８（又は表示手段１ａ）で複数の特定事項が入力された場合、表示制御手段７は、特定事項の種類を識別可能な状態で多発時間を表示させるよう構成してもよい。この場合、多発時間を示す表示（グラフ等）を色分け（濃淡を分けることも含む）することにより、特定事項の種類を識別させることができる。またさらに、表示制御手段７は、特定事項が発生した頻度を識別可能な状態で多発時間を表示させるよう構成してもよい。この場合、頻度毎に多発時間を示す表示（グラフ等）を色分け（濃淡を分けることも含む）することにより、特定事項が発生する頻度が高い多発時間と頻度が低い多発時間とを識別させることができる。
【００４７】
しかるに、抽出手段５による特定事項の抽出及び算出手段６による多発時間の算出は、入力手段８にて入力された特定事項を変更したとき、１治療における患者の過去情報の記録が終了して確定したとき、或いは深夜等の本血液浄化システムが稼働する時間外に行うようにするのが好ましい。勿論、処理速度が極めて速いクライアントＰＣ４を用いるようにすれば、血液浄化治療が開始される直前に、抽出手段５による特定事項の抽出及び算出手段６による多発時間の算出を行わせるようにしてもよい。
【００４８】
上記実施形態によれば、記憶手段３ａに蓄積された過去情報を検索し、所望の特定事項を抽出可能な抽出手段５と、抽出手段５で抽出された特定事項が所定回数以上発生した時間を多発時間として算出し得る算出手段６と、算出手段６で算出された多発時間を現在の血液浄化治療中に表示手段４ａにて表示させ得る表示制御手段７とを具備したので、医療従事者に対して特定事項の多発時間を予め把握させることができ、血液浄化治療中に記憶されて蓄積された過去情報を有効活用することができるとともに、非定常的に発生する特定事項に対する対応を素早く且つ適切に行わせることができる。
【００４９】
すなわち、医療従事者が注意すべきと判断される所望の特定事項が多発するタイミング（多発時間）を現在の血液浄化治療中に事前に把握することができるので、それに備えた準備や確認を予め行うことができ、その特定事項が発生した際の対応を素早く且つ適切に行わせることができるのである。また、作業者の手作業によらず自動で特定事項が多発する多発時間を集計することができるので、手間を省くことができる。さらに、経験豊富で熟練度が高い医療従事者の観点に基づいて多発時間とするための閾値や走査時間Ｔ等を任意に設定することができるので、経験が浅く熟練度が低い医療従事者に対しても、注意すべき特定事項の多発時間を把握させることができる。
【００５０】
特に、特定事項は、血液浄化治療中における患者の行為に関する非定常的な事項（食事の摂取、トイレへの患者の離脱、体位の変化などのイベントや抜針発生などの突発事項など）若しくは患者の状態に関する非定常的な事項（血圧低下、気分不快や痒み等の愁訴など）、血液浄化治療中に発生した装置に関する非定常的な事項（血液浄化装置１の警報や報知に対する処置行為など）を含むので、医療従事者に対して種々の特定事項の多発時間を予め把握させることができる。
【００５１】
また、表示制御手段７は、現在の血液浄化治療に関する情報を時間経過に伴ってグラフとして表示させ得るとともに、算出手段６で算出された多発時間を当該グラフの時間軸に対応させて表示させ得るので、現在の血液浄化治療に関する情報と多発時間との比較を視覚的に行わせることができる。さらに、本実施形態に係る表示制御手段７は、算出手段６で算出された多発時間を時間軸に対応させた帯状のグラフとして表示させ得るので、現在の血液浄化治療に関する情報と多発時間との比較をより円滑且つ視覚的に行わせることができる。
【００５２】
またさらに、複数の特定事項のうち任意の特定事項を選択して入力可能な入力手段８を具備するとともに、算出手段６は、当該入力手段８で入力された特定事項に関する多発時間を算出するので、必要とされる特定事項の多発時間を任意選択的に表示させることができる。また、入力手段８で複数の特定事項が入力された場合、表示制御手段７は、特定事項の種類を識別可能な状態で多発時間を表示させるようにすれば、必要とされる複数の特定事項の多発時間を併せて表示させることができる。さらに、本実施形態に係る表示制御手段７により、特定事項が発生した頻度を識別可能な状態で多発時間を表示させるようにすれば、発生頻度に応じた特定事項に対する対応を行わせることができる。
【００５３】
次に、本発明に係る第２の実施形態について説明する。
本実施形態に係る血液浄化システムは、第１の実施形態と同様、患者に対して血液浄化治療としての透析治療を施し得るもので、図９に示すように、血液浄化装置１と、管理装置２とを具備して構成されている。また、血液浄化装置１及び管理装置２は、ＬＡＮケーブルＬを介して電気的に接続されており、当該血液浄化装置１と管理装置２との間で通信して血液浄化治療に関する情報を送受信可能とされている。なお、第１の実施形態と同様の構成要素には同一の符号を付し、それらの詳細な説明を省略する。
【００５４】
本実施形態に係る管理装置２におけるクライアントアプリケーション４ｂには、除外手段ｆが配設されている。かかる除外手段ｆは、記憶手段３ａに蓄積された過去情報のうち任意の過去情報を抽出手段５の検索対象から除外し得るものである。しかして、本実施形態に係る抽出手段５は、記憶手段３ａに蓄積された過去情報のうち除外手段ｆで除外されたもの以外の過去情報を検索することにより特定事項を抽出可能とされている。
【００５５】
本実施形態に係る除外手段ｆは、例えば医療従事者等がクライアントアプリケーション４ｂにおける操作によってチェックボックスなどをオン又はオフすることによって、検索対象（すなわち、記憶手段３ａに蓄積された過去情報）から除外する対象を任意に選択して指定可能とされている。かかる除外手段ｆによる除外対象として、例えば血液浄化治療をこれから行う患者以外の過去情報、その患者以外であって、性別が異なる或いは年齢が違う患者、原疾患が同一或いは類似でない患者、ＤＷ（ドライウェイト）或いは検査値が同一又は近くない患者等が挙げられる。
【００５６】
また、除外手段ｆは、過去情報毎に指定して抽出手段５による検索対象から除外し得るよう構成してもよく、この場合、１治療の過去情報を全て検索対象から除外することができ、確度の高い抽出を行う上で好ましくない情報を治療単位で除外することができる。さらに、除外手段ｆは、過去情報に含まれる対象データ毎（本実施形態においては特定事項の種類毎）に指定して検索対象から除外することができ、この場合、より細かな除外対象の指定を行わせることができる。またさらに、対象データ毎の除外に加え、治療日毎の除外等の指定を可能とすることができ、その場合、マトリックス形式の画面にて除外指定を可能とするようにしてもよい。
【００５７】
本実施形態によれば、記憶手段３ａに蓄積された過去情報のうち所定条件を満たす過去情報を検索して抽出可能な抽出手段５と、記憶手段３ａに蓄積された過去情報のうち任意の過去情報を抽出手段５の検索対象から除外し得る除外手段ｆと、抽出手段５で抽出された過去情報に基づく種々情報を表示手段４ａにて表示させ得る表示制御手段７とを具備したので、抽出手段５によって抽出される情報として好ましくないものを記憶手段３ａによる蓄積情報から除外することができ、医療従事者が必要とする情報を精度よく表示して把握させることができる。
【００５８】
例えば、血液浄化装置１にて警報が発生され、対処中の対応が不適切だった場合、連続して警報が発生してしまうことがある。この場合、特定事項（警報の発生）が１回発生したと記憶すべきであるが、発生回数分だけ過去情報内に記憶されてしまう。かかる不具合を避けるため、当該特定事項のうち１回目以降の特定事項を除外手段ｆにて除外することにより、抽出手段５による抽出を精度よく行わせることができ、表示される多発時間の信頼性を向上させることができる。
【００５９】
以上、本実施形態について説明したが、本発明はこれらに限定されるものではなく、例えばＬＡＮケーブルＬの如き配線を介さず管理装置２のサーバ３と接続されたもの（例えば無線にて各血液浄化装置１とサーバ３とが通信可能なもの）であってもよい。また、各血液浄化装置１と接続される管理装置２のサーバ３は、透析治療に関わる部屋以外に設置された他の独立したサーバ（例えば、同一病院内の他の診療科（合併症に関わる内科等、透析室とは異なる部屋）の治療情報（電子カルテ）や投薬情報を格納したシステム、患者の看護を目的とした看護支援システム、或いは予約又は会計システム等、種々のシステムに搭載されたサーバ）と接続することができ、当該サーバ３に対して種々の患者情報を互いに送受信し得るものとしてもよい。
【００６０】
さらに、本実施形態に係る表示制御手段７は、算出手段６で算出された多発時間を現在の血液浄化治療中においてクライアントＰＣ４の表示手段４ａにて表示させ得るものとされているが、算出手段６で算出された多発時間を現在の血液浄化治療中において各血液浄化装置１の表示手段１ａにて表示させ得るものとしてもよい。またさらに、本実施形態においては、クライアントアプリケーション４ｂを作動させるためのＷｅｂアプリケーションモジュール３ｃがサーバ３内に配設されているが、クライアントＰＣ４内に配設するようにしてもよい。
【００６１】
なお、本実施形態においては、血液透析（ＨＤ）、ＥＣＵＭ又はＨＤＦ（血液透析濾過）の如き治療形態が可能とされた血液透析装置に適用しているが、これに代えて他の血液浄化治療（例えば、血液濾過（ＨＦ）又は持続緩徐式血液濾過（ＣＨＦ）等の治療）を施すことが可能な血液浄化装置に適用してもよい。
【産業上の利用可能性】
【００６２】
過去情報には、血液浄化治療中において非定常的に発生した特定事項が含まれるとともに、記憶手段に蓄積された過去情報を検索し、所望の特定事項を抽出可能な抽出手段と、抽出手段で抽出された特定事項が所定回数以上発生した時間を多発時間として算出し得る算出手段と、算出手段で算出された多発時間を現在の血液浄化治療中に表示手段にて表示させ得る表示制御手段とを具備した血液浄化システムであれば、他の機能が付加されたもの等にも適用することができる。
【符号の説明】
【００６３】
１  血液浄化装置
１ａ  表示手段
２  管理装置
３  サーバ
３ａ  記憶手段
３ｂ  通信モジュール
３ｃ  ｗｅｂアプリケーションモジュール
４  クライアントＰＣ
４ａ  表示手段
５  抽出手段
６  算出手段
７  表示制御手段
８  入力手段
９  血液回路
１０  血液ポンプ
１１  ダイアライザ（血液浄化器）
１２  複式ポンプ
１３  除水ポンプ
１４  外部表示灯
Ｒ  多発時間
ｆ  除外手段
【図１】
2019000311.tif 000003
【図２】
2019000311.tif 000004
【図３】
2019000311.tif 000005
【図４】
2019000311.tif 000006
【図５】
2019000311.tif 000007
【図６】
2019000311.tif 000008
【図７】
2019000311.tif 000009
【図８】
2019000311.tif 000010
【図９】
2019000311.tif 000011